(57)【要約】      （修正有）【課題】浴室床パネルの特に施工現場におけるレベル調整作業を簡易化する。【解決手段】本発明の浴室床構造は、二重のレベル調整機構によって浴室床パネルを水平にレベル調整する。浴室床パネル５は、好ましくは、工場において、予めパネルレベル調整機構２０によってレベル調整する。浴室の施工現場においては、架台３を架台レベル調整機構３４によってレベル調整して設置した後、架台３上に浴室床パネル５を載せる。浴室床パネル５は、予めレベル調整済みであるから、水平な架台３に載せるだけで水平に設置できる。したがって、施工現場での浴室床パネルのレベル調整作業を省略ないしは簡略化できる。【選択図】図８
2020051175.tif 000002
【特許請求の範囲】
【請求項１】
架台レベル調整機構によって水平出しされて設置される架台と、
前記架台上に支持される浴室床パネルと、
前記浴室床パネルに設けられ、前記浴室床パネルを前記架台に対してレベル調整するパネルレベル調整機構と、
を備えたことを特徴とする浴室床構造。
【請求項２】
前記パネルレベル調整機構が、前記浴室床パネルの底部に互いに離れて設けられた複数のパネル脚部を含み、各パネル脚部が、前記架台に載せられるとともに前記浴室床パネルを高さ調整可能に支持していることを特徴とする請求項１に記載の浴室床構造。
【請求項３】
前記浴室床パネルの底部には雌ネジを有する複数の脚受け板が互いに離れて設けられ、
前記パネル脚部が、対応する脚受け板の雌ネジにねじ込まれるボルト部を含むことを特徴とする請求項２に記載の浴室床構造。
【請求項４】
前記浴室床パネルが、発泡樹脂からなるパネル本体を上側補強板及び下側補強板によって上下から挟んだサンドイッチ構造のパネル体を含み、
前記脚受け板が、前記下側補強板より厚肉であり、かつ前記下側補強板の下面に固定されていることを特徴とする請求項３に記載の浴室床構造。
【請求項５】
前記浴室床パネルの一側部には、前記架台とネジ止めされる連結部が設けられ、
前記浴室床パネルの前記一側部と対向又は交差する側部には、前記架台に引っ掛けられる引掛部が設けられていることを特徴とする請求項１〜４の何れか１項に記載の浴室床構造。
【請求項６】
前記架台上に複数の浴室床パネルが並べられて配置され、前記浴室床パネルごとに前記パネルレベル調整機構が設けられていることを特徴とする請求項１〜５の何れか１項に記載の浴室床構造。
【請求項７】
前記浴室床パネルの一側部に配置されて、前記架台に支持される排水ピットと、
前記排水ピットに設けられ、前記排水ピットを前記架台に対してレベル調整するピットレベル調整機構と、
を更に備えたことを特徴とする請求項１〜６の何れか１項に記載の浴室床構造。
【発明の詳細な説明】
【技術分野】
【０００１】
本発明は、浴室床構造に関し、特に浴室床パネルの高さ調整機能を備えた浴室床構造に関する。
【背景技術】
【０００２】
例えば、ユニットバスの床パネルは工場で作製され、建物躯体の施工現場へ搬入されて据え付けられる。一般的には、床パネルの底部に複数の支持脚が設けられている。施工現場において、各支持脚の高さを調整することによって、床パネルの水平出し作業すなわちレベル調整作業が行われる（特許文献１、２等参照）。
【先行技術文献】
【特許文献】
【０００３】
【特許文献１】特開２００８−２１５０４６号公報
【特許文献２】特開２０１５−０６８０１７号公報
【発明の概要】
【発明が解決しようとする課題】
【０００４】
前記レベル調整は、施工現場の床下に潜っての作業となり手間がかかる。床パネルの四隅だけでなく中央部にも支持脚があると、レベル調整作業の難易度が上がり、支持脚の浮きによる異音の発生などが想定される。浴室が大型サイズであると一層煩雑になり、取り合いに不備が生じた場合は作業工程を後戻りせざるを得ないこともある。
本発明は、かかる事情に鑑み、浴室床パネルの特に施工現場におけるレベル調整作業を簡易化することを目的とする。
【課題を解決するための手段】
【０００５】
前記課題を解決するため、本発明に係る浴室床構造は、
架台レベル調整機構によって水平出しされて設置される架台と、
前記架台上に支持される浴室床パネルと、
前記浴室床パネルに設けられ、前記浴室床パネルを前記架台に対してレベル調整するパネルレベル調整機構と、
を備えたことを特徴とする。
【０００６】
当該浴室床構造によれば、二重のレベル調整機構によって浴室床パネルを水平にレベル調整できる。
好ましくは、浴室床パネルは工場で作製する。さらに好ましくは、工場において、パネルレベル調整機構によって浴室床パネルをレベル調整する。工場であれば、浴室床パネルの四隅に限らず中央部に在るパネルレベル調整機構をも容易に作動させてレベル調整できる。レベル調整済みの浴室床パネルを浴室の施工現場へ搬入する。浴室の施工現場においては、架台を架台レベル調整機構によってレベル調整して設置した後、該架台上に前記浴室床パネルを載せる。浴室床パネルは、予めレベル調整済みであるから、水平な架台に載せるだけで水平に設置できる。したがって、施工現場での浴室床パネルのレベル調整作業を省略ないしは簡略化できる。
【０００７】
前記パネルレベル調整機構が、前記浴室床パネルの底部に互いに離れて設けられた複数のパネル脚部を含み、各パネル脚部が、前記架台に載せられるとともに前記浴室床パネルを高さ調整可能に支持していることが好ましい。
各パネル脚部によって浴室床パネルを高さ調整することによって、浴室床パネルを水平にレベル調整できる。好ましくは、工場において、前記複数のパネル脚部によって浴室床パネルをレベル調整する。工場であれば、浴室床パネルの四隅に限らず中央部に在るパネル脚部についても容易に支持高さを調整でき、浴室床パネルを容易にレベル調整できる。これによって、浴室の施工現場においては、水平出しされた架台に各パネル脚部を載せれば、それだけで浴室床パネルを架台上に水平に設置できる。
【０００８】
前記浴室床パネルの底部には雌ネジを有する複数の脚受け板が互いに離れて設けられ、
前記パネル脚部が、対応する脚受け板の雌ネジにねじ込まれるボルト部を含むことが好ましい。
複数の脚受け板及びパネル脚部によってパネルレベル調整機構が構成される。パネル脚部のボルト部のねじ込み量を調節することによって、浴室床パネルの高さ調整ひいてはレベル調整を行うことができる。
【０００９】
前記浴室床パネルが、発泡樹脂からなるパネル本体を上側補強板及び下側補強板によって上下から挟んだサンドイッチ構造のパネル体を含み、
前記脚受け板が、前記下側補強板より厚肉であり、かつ前記下側補強板の下面に固定されていることが好ましい。
前記サンドイッチ構造とすることによって、浴室床パネルの製造コストを安価にでき、かつ浴室床パネルの所要強度を確保できる。
前記脚受け板を厚肉にすることによって、パネル脚部を浴室床パネルに安定的に接続できる。
【００１０】
前記浴室床パネルの一側部には、前記架台とネジ止めされる連結部が設けられ、
前記浴室床パネルの前記一側部と対向又は交差する側部には、前記架台に引っ掛けられる引掛部が設けられていることが好ましい。
これによって、浴室床パネルの設置作業を一層簡易化できる。浴室床パネルの外周部と建物の壁その他の躯体との間のクリアランスが狭くても、浴室床パネルを架台上に容易に設置することができる。
【００１１】
前記架台上に複数の浴室床パネルが並べられて配置され、前記浴室床パネルごとに前記パネルレベル調整機構が設けられていることが好ましい。
これによって、複数の浴室床パネルからなる大型の浴室床を形成できる。好ましくは、各浴室床パネルを工場においてレベル調整する。より好ましくは、工場において、複数の浴室床パネルを並べて配置して互いの水平レベルを揃える。これによって、浴室床パネル相互の製造公差を吸収できる。そのうえで、浴室の施工現場へ搬入する。浴室の施工現場においては、水平出しされた架台上に各浴室床パネルを載せるだけで水平に設置できる。しかも、複数の浴室床パネルを架台上に並べて配置するだけで、これら浴室床パネルの水平レベルを互いに一致させることができる。したがって、浴室床パネルの枚数が多くても、設置作業を効率的に行うことができ、現場施工の工期を短縮できる。
【００１２】
前記浴室床構造が、前記浴室床パネルの一側部に配置されて、前記架台に支持される排水ピットと、
前記排水ピットに設けられ、前記排水ピットを前記架台に対してレベル調整するピットレベル調整機構と、
を更に備えていることが好ましい。
これによって、排水ピットについても二重のレベル調整機構によってレベル調整できる。好ましくは、排水ピットは工場で作製する。さらに工場において前記ピットレベル調整機構によって排水ピットをレベル調整する。より好ましくは、工場において、排水ピットと浴室床パネルとの水平レベルを揃える。浴室床が複数の浴室床パネルによって構成されているときは、これら複数の浴室床パネルと排水ピットとの水平レベルを揃える。そのうえで、排水ピットと浴室床パネルを浴室の施工現場へ搬入する。浴室の施工現場においては、架台をレベル調整して設置した後、該架台上に前記排水ピット及び浴室床パネルを載せる。排水ピットは、浴室床パネルと同様に予めレベル調整済みであるから、水平な架台に載せるだけで水平に設置できる。したがって、施工現場での排水ピットのレベル調整作業を省略ないしは簡略化できる。前記浴室床パネルの設置作業の簡略化と相俟って、浴室床構造の施工を一層容易化できる。
【００１３】
前記架台が、水平な支持フレームと、前記支持フレームを高さ調整可能に支持する複数の支持脚部とを含むことが好ましい。複数の支持脚部によって、架台レベル調整機構が構成される。
前記パネル脚部が、前記支持脚部より短いことが好ましい。パネル脚部を支持脚部より短くすることによって、浴室床パネルを架台に安定的に設置できる。
【発明の効果】
【００１４】
本発明によれば、浴室施工現場における浴室床パネルのレベル調整作業を簡易化することができる。
【図面の簡単な説明】
【００１５】
【図１】図１は、本発明の一実施形態に係る浴室の床構造を部分的に破断して示す平面図である。
【図２】図２は、前記浴室床の分解斜視図である。
【図３】図３は、図１のＩＩＩ−ＩＩＩ線に沿う浴室床の断面図である。
【図４（ａ）】図４（ａ）は、前記浴室床パネルの平面図である。
【図４（ｂ）】図４（ｂ）は、前記浴室床パネルの底面図である。
【図５】図５は、前記浴室床の浴室床パネルの分解斜視図である。
【図６】図６は、図３の円部ＶＩを拡大して示す断面図である。
【図７】図７は、図３の円部ＶＩＩを拡大して示す断面図である。
【図８】図８は、図３の円部ＶＩＩＩを拡大して示す断面図である。
【図９】図９は、図１の円部ＩＸを拡大して示す平面図である。
【図１０】図１０は、前記浴室床の排水ピット及び浴室床パネルの現場据え付け工程を示す分解断面図である。
【図１１】図１１は、前記浴室床パネルの外端部の現場据え付け工程を示す分解断面図である。
【発明を実施するための形態】
【００１６】
以下、本発明の一実施形態を図面にしたがって説明する。
本実施形態における浴室１は、例えば介護施設などにおいて用いられる比較的大型の浴室である。図１に示すように、浴室１の全体が洗い場になっている。浴室１の供用時には、別途、移動式の浴槽（図示せず）を搬入可能である。
【００１７】
図１及び図２に示すように、浴室床２（浴室床構造）は、架台３と、排水ピット４と、複数の浴室床パネル５と、表層シート６とを備えている。排水ピット４と、複数の浴室床パネル５とが、架台３に支持されている。浴室１の奥行方向Ｄ（図１において左右方向）の中央部（所定箇所）に排水ピット４が配置されている。浴室床２が、排水ピット４を挟んで２つの床部２ａに分かれている。各床部２ａには、複数（図１では例えば４つ）の浴室床パネル５が浴室１の幅方向（図１において上下）に並べられて設置されている。表層シート６が、前記複数の浴室床パネル５上に跨って敷設されている。
【００１８】
詳述すると、図３に示すように、浴室１の底部に架台３が設置されている。図１に示すように、架台３は、水平な支持フレーム３０と、複数の支持脚部３５を有している。支持フレーム３０は、直交する方向Ｗ，Ｄの何れかへ水平に延びる床梁材３１，３２，３３を含む。
【００１９】
図１〜図３に示すように、浴室床２の奥行方向Ｄの中央部には、２本の中央床梁材３３が互いに間隔を置いて平行に配置されている。各中央床梁材３３は、浴室床２の幅方向Ｗ（図３において紙面と直交する方向）の一端部から他端部まで水平に延びている。中央床梁材３３の両端部が、浴室床２の外周に沿って奥行方向Ｄへ延びる外周床梁材３２と接合されている。
【００２０】
図１〜図３に示すように、架台３の底部には、複数の支持脚部３５が、互いに離れて配置されている。これら複数の支持脚部３５によって架台レベル調整手段３４が構成されている。複数の支持脚部３５によって支持フレーム３０が水平に支持されている。
図７及び図８に示すように、各支持脚部３５の少なくとも上端部には雄ネジ３５ａが形成され、これにナット３５ｂが螺合されている。支持フレーム３０が、ナット３５ｂを介して支持脚部３５に連結されている。ナット３５ｂを上下させることで、支持フレーム３０の各所が高さ調整される。ひいては、複数の支持脚部３５によって、支持フレーム３０が水平になるようレベル調整されている。
【００２１】
図４（ａ）に示すように、各浴室床パネル５は、平面視で長方形状（四角形状）になっており、その長手方向が浴室奥行方向Ｄへ向けられ、短手方向が浴室幅方向Ｗへ向けられている。
なお、図１及び図２に示すように、浴室床２の１のコーナーには、建物躯体の柱を避ける柱欠き２ｃが形成されている。前記コーナーの浴室床パネル５Ｃには柱欠き部５ｅが形成されている。
柱欠き２ｃの有無や位置は、浴室１を設置する建物躯体に応じて適宜変更できる。
【００２２】
図４（ａ）及び同図（ｂ）に示すように、各浴室床パネル５は、パネル体１０と、外周枠部材１９（受け部材）を備えている。図５に示すように、パネル体１０は、パネル本体１１と、上側補強板１２と、下側補強板１３を含む。パネル本体１１が上側補強板１２及び下側補強板１３によって上下から挟まれ、サンドイッチ構造となっている。
【００２３】
図６に示すように、パネル本体１１は、発泡樹脂によって構成されている。パネル本体１１の発泡樹脂材質は、例えばＥＰＳ（発泡ポリスチレン）であり、発泡倍率は１５倍〜３０倍程度である。なお、前記発泡樹脂材質は、これに限られず、発泡ポリエチレン、発泡ポリプロピレン等であってもよい。
発泡樹脂製のパネル本体１１は断熱性を有している。
【００２４】
図５に示すように、パネル本体１１の底部に下側補強板１３が敷設されている。下側補強板１３は、ステンレス、鉄、鋼等の金属板もしくは樹脂被覆化粧鋼板にて構成されている。なお、下側補強板１３の材質は金属主体に限らず、熱硬化性樹脂などの硬質樹脂であってもよい。下側補強板１３の４つの端部には、それぞれ側板部１３ｂが一体に設けられている。図７及び図８に示すように、これら側板部１３ｂが、下側補強板１３から直角に立ち上がり、パネル本体１１のそれぞれ対応する側面と対向している。
【００２５】
図６に示すように、パネル本体１１と下側補強板１３とは、接着剤１５によって接着されている。接着剤１５としては、例えば熱硬化性の２液混合ウレタン系接着剤が用いられているが、これに限られず、エポキシ系接着剤、シリコーン系接着剤などであってもよい。接着剤１５は、パネル本体１１と下側補強板１３との間の全面に塗布することが好ましいが、所要の接合性を得られるのであれば部分的に塗布してもよい。
【００２６】
図５に示すように、パネル本体１１上に上側補強板１２が被さっている。上側補強板１２は、ステンレス、鉄、鋼等の金属板もしくは樹脂被覆化粧鋼板によって構成されている。なお、上側補強板１２の材質は金属主体に限らず、熱硬化性樹脂などの硬質樹脂であってもよい。上側補強板１２が、下側補強板１３とは異なる材質であってもよい。図６に示すように、上側補強板１２とパネル本体１１とは、接着剤１５Ａを介して接着されている。接着剤１５Ａの種類及び塗布範囲は、下側の接着剤１５と同様である。図５に示すように、上側補強板１２の４つの端部には、それぞれ側板部１２ｂが下方へ突出するように設けられている。図７及び図８に示すように、各側板部１２ｂが、パネル本体１１の対応する側面と対向している。
【００２７】
図１及び図２に示すように、浴室床２の各床部２ａの上面には、表層シート６が敷設されている。表層シート６は、幅方向Ｗに隣り合う浴室床パネル５のパネル体１０の上面に跨っている。表層シート６は、比較的軟質の樹脂やシリコンラバー等によって構成されている。表層シート６は、防水性を有している。更に、表層シート６によって、浴室床２の温熱感性及びクッション性が確保されている。表層シート６を施工現場で適切な大きさに切断してもよいし、予め工場でＮＣ切断機などを用いて表層シート６を定型サイズにしておいてもよい。
【００２８】
図６に示すように、各パネル体１０の上側補強板１２の上面に両面粘着テープ１４が積層されている。表層シート６と上側補強板１２とが、両面粘着テープ１４を介して接合されている。若しくは、表層シート６と上側補強板１２とが、接着剤によって接着されていてもよい。
【００２９】
図３に示すように、浴室床２の床面全体に、浴室奥行方向Ｄの両端部から中央部の排水ピット４へ向かう水流れ勾配が形成されている。各浴室床パネル５のパネル本体１１の上面の全域が、排水ピット４とは反対側の外側部５ｗから排水ピット４側の側部５ａ（一側部）へ向かって下へ傾く傾斜平面１１ｓを構成している。浴室床２における幅方向Ｗに隣り合う浴室床パネル５の傾斜平面１１ｓどうしが面一に連続している。上側補強板１２及び表層シート６には、傾斜平面１１ｓと同じ勾配が付与されている。
浴室床２における幅方向Ｗに隣り合う浴室床パネル５の上面どうしが面一に連続している。
【００３０】
図１及び図２に示すように、浴室床２の外周部の全周には、外周枠９が設けられている。外周枠９は、浴室床パネル５の浴室外周に面する外側部５ｗ，５ｄごとに外周枠部材１９に分割されている。各浴室床パネル５における排水ピット４の反対側の外側部５ｗ（一側部５ａと対向する側部）には、外周枠部材１９Ｗが幅方向Ｗへ延びるように配置されている。浴室床２の幅方向Ｗの両端の浴室床パネル５における、外側部５ｗと交差する外側部５ｄには、外周枠部材１９Ｄが浴室奥行方向Ｄへ延びるように配置されている。隣接する外周枠部材１９どうしが、接続部材１６を介して接続されている。
各浴室床パネル５における、隣接する浴室床パネルとの隣接側部５ｂ及び排水ピット側部５ａには、外周枠部材１９が設けられていない。
【００３１】
図５に示すように、外周枠部材１９ひいては外周枠９は、壁・扉受け部１９ａと、表層端受け部１９ｂとを含む。図７に示すように、壁・扉受け部１９ａは、浴室壁パネル７又は浴室扉枠（図示せず）を受けている。壁・扉受け部１９ａの下端部には、水平な底枠部１９ｃが設けられている。底枠部１９ｃが架台３の上面に載せられている。
【００３２】
図７に示すように、表層端受け部１９ｂは、表層シート６における排水ピット４側以外の端部６ｄを受けている。表層シート端部６ｄと表層端受け部１９ｂとの間には、防水粘着テープ等の水密材６１、及びシリコーン等のシーリング材６２、並びにシーリング材６２を覆う目地材６３が設けられている。
【００３３】
図４（ｂ）に示すように、浴室床パネル５ごとにパネルレベル調整機構２０が設けられている。各浴室床パネル５のパネルレベル調整機構２０は、複数のパネル高さ調整部２９を備えている。複数のパネル高さ調整部２９は、浴室床パネル５の底部に互いに離れて設けられている。これらパネル高さ調整部２９を介して、浴室床パネル５が、架台３に高さ調整可能ひいてはレベル調整可能に支持されている。
【００３４】
図５に示すように、各パネル高さ調整部２９は、パネル脚部２１と、脚受け板２５を含む。脚受け板２５は、四角形の厚い鋼板（金属板）によって構成されている。脚受け板２５には、雌ネジ穴２５ｂが形成されている。雌ネジ穴２５ｂの内周面に雌ネジが形成されている。脚受け板２５は下側補強板１３よりも厚肉で剛性が高い。該脚受け板２５が、下側補強板１３の下面に固定されている。脚受け板２５と下側補強板１３との固定手段としては、ネジ止めが適用されているが、これに限らず、溶接、接着その他の固定手段を適用してもよい。
【００３５】
パネル脚部２１は、ボルトによって構成されている。詳しくは、図７及び図８に示すように、パネル脚部２１は、外周に雄ネジが形成されたボルト部２２と、円盤形状のベース部２３を一体に含む。ベース部２３の中央部からボルト部２２が突出されている。ボルト部２２が上へ向けられ、ベース部２３が下方へ向けられている。ボルト部２２が、対応する脚受け板２５の雌ネジ穴２５ｂにねじ込まれている。ボルト部２２の上端部は、下側補強板１３を貫通して、パネル本体１１に入り込んでいる。ベース部２３は、パネル体１０の下方に突出して配置されている。ベース部２３の下面（パネル脚部２１の底面）には、ゴム製マット状の音鳴り防止材２４が設けられている。
パネル脚部２１の軸長（図７において上下方向の長さ）は、支持脚部３５の軸長より十分に短い。
【００３６】
図４（ｂ）に示すように、パネル脚部２１及び脚受け板２５からなるパネル高さ調整部２９は、浴室床パネル５の底部の四隅を含む４つの側部５ａ，５ｂ，５ｗ，５ｄに配置されているだけでなく、浴室床パネル５の底部の中央部にも配置されている。
図７に示すように、外側部５ｗ，５ｄのパネル脚部２１Ｂは、外周枠部材１９の底枠部１９ｃ上に載せられている。ベース部２３が、音鳴り防止材２４を介して底枠部１９ｃの上面に当てられている。音鳴り防止材２４がベース部２３と底枠部１９ｃとの間に介在されることで、音鳴りが防止されている。
【００３７】
さらに、底枠部１９ｃが架台３の上面に載せられることによって、パネル脚部２１Ｂが、底枠部１９ｃを介して架台３に載せられている。
パネル脚部２１Ｂのボルト部２２のねじ込み量に応じて、パネル体１０が外周枠部材１９に対して昇降される。ひいては、パネル体１０が架台３に対して高さ調整可能である。
【００３８】
図７に示すように、浴室床パネル５の外側部５ｗ，５ｄの脚受け板２５Ｂには、下側補強板１３よりも外周枠部材１９側へ突出する突出連結部２６Ｂが設けられている。突出連結部２６Ｂと底枠部１９ｃとが、ネジ２８によって固定されている。
【００３９】
図８及び図９に示すように、前記外側部５ｗ，５ｄ以外すなわち側部５ａ，５ｂのパネル脚部２１Ａ及び中央部のパネル脚部２１Ｃは、架台３の上面に直接的に載せられている。該パネル脚部２１Ａ，２１Ｃのボルト部２２のねじ込み量に応じて、パネル体１０が架台３に対して昇降され、高さ調整可能である。パネル脚部２１Ａ，２１Ｃの音鳴り防止材２４がベース部２３と架台３との間に介在されることで、音鳴りが防止されている。
各パネル脚部２１Ａ，２１Ｂ，２１Ｃによる高さ調整によって、浴室床パネル５がレベル調整されている。
【００４０】
パネル脚部２１（２１Ａ〜２１Ｃ）は、架台３に単に載っているだけであり、架台３と直接には固定されていない。浴室床パネル５には、パネル脚部２１とは別に、次のような架台３との係止・固定構造が設けられている。
図７に示すように、外周枠部材１９には、引掛部材１８が設けられている。引掛部材１８は、鉛直な板材によって構成されている。引掛部材１８の上側部分は、壁・扉受け部１９ａの外側面に固定されている。引掛部材１８の下側部分は、壁・扉受け部１９ａよりも下方へ突出され、支持フレーム３０の外側面に沿っている。引掛部材１８の下端部は、Ｌ字状に折り曲げられることによって、引掛部１８ａを構成している。引掛部１８ａが、支持フレーム３０の外周床梁材３１，３２の下側の隅角部に引っ掛けられている。これによって、浴室床パネル５が、架台３に対して移動規制されている。
引掛部１８ａの水平部の上面にはゴム製マット状の音鳴り防止材１８ｃが設けられている。音鳴り防止材１８ｃが、引掛部１８ａと支持フレーム３０との間に介在されることで、音鳴りが防止されている。
【００４１】
図８及び図９に示すように、排水ピット側部５ａの脚受け板２５Ａには、連結部２６が水平に突設されている。連結部２６は、下側補強板１３よりも排水ピット４側へ突出され、かつ中央床梁材３３の上方に少し離れて配置されている。パネル固定ネジ２７が、連結部２６を通して中央床梁材３３にねじ込まれている。これによって、浴室床パネル５が架台３に固定されている。
【００４２】
さらに、図９に示すように、浴室床パネル５と排水ピット４とは、直接には連結されておらず、架台３を介して間接的に連結されている。
図１及び図３に示すように、排水ピット４は、架台３の２本の中央床梁材３３の間に懸架されるようにして支持されている。なお、排水ピット４の材質は、ＦＲＰ（繊維強化プラスチック）やＡＢＳなどの樹脂であるが、これに限定されるものではない。
【００４３】
排水ピット４は、ピット本体４１と、一対のピット枠部４２を一体に有している。ピット本体４１は、上面が開口された凹溝状に形成され、浴室１の幅方向Ｗの一端部から他端部まで延びている。ピット本体４１の底面の一箇所に排水口４１ｃが設けられている。ピット本体４１の底面には、排水口４１ｃへ向かって下へ傾く排水勾配が形成されている。
【００４４】
図１に示すように、ピット本体４１における一対の長辺側縁部に沿ってピット枠部４２が設けられている。一対のピット枠部４２は、浴室幅方向Ｗへ互いに平行に延びるとともに、それぞれ対応する中央床梁材３３上に載せられている。これらピット枠部４２間のピット本体４１が、２本の中央床梁材３３の間に差し入れられ、かつ中央床梁材３３より下方へ吊り下げられている。
【００４５】
図８に示すように、ピット枠部４２は、中空壁部４３と、張り出し縁部４４とを有し、断面が概略凸字状に形成されている。中空壁部４３におけるピット本体４１を向く側部に、段差４３ｄが形成されている。段差４３ｄには、図３において二点鎖線にて示すグレーチング４６の縁が載せられる。
中空壁部４３の内部に逆さ溝部４３ａが形成されている。逆さ溝部４３ａは下方へ開放されている。
【００４６】
図８に示すように、逆さ溝部４３ａにサポート部材４５が嵌め込まれている。サポート部材４５は、例えば上下に縦長の四角筒形状のアルミ押出型材によって構成され、排水ピット４の長手方向（浴室幅方向Ｗ）へ真っ直ぐ延びている。サポート部材４５の材質は、アルミなどの金属に限らず樹脂でもよい。
【００４７】
図３に示すように、排水ピット４には、ピットレベル調整機構５０が設けられている。ピットレベル調整機構５０によって、排水ピット４が、架台３に対して高さ調整可能ひいてはレベル調整可能に支持されている。ピットレベル調整機構５０は複数のピット枠脚部５１を含む。複数のピット枠脚部５１は、排水ピット４の両側の各サポート部材４５の長手方向ひいては排水ピット４の長手方向（浴室幅方向Ｗ）に互いに離れて配置されている。
【００４８】
図８に示すように、各ピット枠脚部５１は、ボルトによって構成されている。詳しくは、ピット枠脚部５１は、外周に雄ネジが形成されたボルト部５２と、円盤形状のベース部５３を一体に含む。ベース部５３の中央部からボルト部５２が突出されている。ボルト５３２が上へ向けられ、ベース部５３が下へ向けられている。ボルト部５２が、サポート部材４５の底部にねじ込まれている。ベース部５３は、サポート部材４５の下方に突出して配置されている。ベース部５３の下面（ピット枠脚部５１の底面）には、ゴム製マット状の音鳴り防止材５４が設けられている。
【００４９】
排水ピット４の各ピット枠脚部５１が、中央床梁材３３の上面に載せられている。ボルト部５２のねじ込み量を調節することによって、ピット枠脚部５１によるサポート部材４５の支持高さが調整される。複数のピット枠脚部５１による高さ調整によって、排水ピット４がレベル調整されている。
音鳴り防止材５４がベース部５３と架台３との間に介在されることで、音鳴りが防止されている。
【００５０】
ピット枠脚部５１は、架台３に単に載っているだけであり、架台３と直接には固定されていない。排水ピット４には、ピット枠脚部５１とは別に次のような架台３との固定構造が設けられている。
図８及び図９に示すように、排水ピット４の中空壁部４３におけるピット本体４１とは反対側を向く外側部には張り出し縁部４４が形成されている。張り出し縁部４４は、中空壁部４３の底部からパネル本体５へ向けて張り出している。張り出し縁部４４には、ネジ座４４ａと、切欠き状凹部４４ｃとが、それぞれ長手方向（浴室幅方向Ｗ）に間隔を置いて複数形成されている。ピット固定ネジ４７が、ネジ座４４ａを通して中央床梁材３３にねじ込まれている。これによって、排水ピット４が架台３に固定されている。
切欠き状凹部４４ｃの内側には、連結部２６が配置されている。
【００５１】
図８及び図９に示すように、排水ピット４の中空壁部４３と浴室床パネル５の排水ピット側部５ａとの間には、凹溝４８が形成されている。凹溝４８の底部に張り出し縁部４４が配置されている。パネル固定ネジ２７及びピット固定ネジ４７の頭部が、凹溝４８内に臨んでいる。図８に示すように、凹溝４８にスペーサ部材４９が収容されている。スペーサ部材４９は、例えば上下に縦長の四角筒形状のアルミ押出型材によって構成され、排水ピット４の長手方向（浴室幅方向Ｗ）へ真っ直ぐ延びている。スペーサ部材４９は、角柱形状でもよい。スペーサ部材４９の材質は、アルミなどの金属に限らず樹脂でもよい。
【００５２】
図８に示すように、表層シート６における排水ピット４側の端部６ｂは、浴室床パネル５の上面から延び出て、スペーサ部材４９の上面に被さり、さらに排水ピット４の中空壁部４３の上面に被さっている。中空壁部４３の上面には防水粘着テープ６４（水密材）が設けられており、該防水粘着テープ６４が表層シート端部６ｂの下面と接合されている。かつ表層シート端部６ｂの端面と中空壁部４３との間には、シリコーン等のシーリング材６５が塗布されている。これによって、表層シート端部６ｂと排水ピット４との間が二重に防水処理されている。表層シート６とスペーサ部材４９とは、非接合状態となっているが接着剤などで接合されていてもよい。
【００５３】
浴室床２は、次のようにして構築される。
好ましくは、浴室床パネル５は工場で作製する。さらに工場において、パネルレベル調整機構２０によって浴室床パネル５をレベル調整しておく。例えば、浴室床パネル５を水平台に設置して、各パネル脚部２１のボルト部２２のねじ込み量を調節することによって浴室床パネル５を高さ調整する。複数のパネル脚部２１による調整高さを互いに揃えることによって、浴室床パネル５を水平になるようレベル調整できる。工場であれば、パネル側部５ａ，５ｂ，５ｗ，５ｄのパネル脚部２１Ａ，２１Ｂに限らず、中央部のパネル脚部２１Ｃについても容易に支持高さを調整できる。ひいては、浴室床パネル５を容易にレベル調整できる。
より好ましくは、工場において、複数の浴室床パネル５を浴室床２における配置通りに並べ、互いの水平レベルを揃える。これによって、浴室床パネル５相互の製造公差を吸収できる。
レベル調整後、各浴室床パネル５の脚受け板２５Ｂと外周枠部材１９とをネジ２８によって固定する。
【００５４】
別途、排水ピット４を工場で作製する。好ましくは、工場において、ピットレベル調整機構５０によって排水ピット４をレベル調整しておく。例えば、排水ピット４を水平台に設置して、各ピット枠脚部５１によって排水ピット４を高さ調整する。複数のピット枠脚部５１による調整高さを互いに揃えることによって、排水ピット４をレベル調整できる。
より好ましくは、工場において、前記複数の浴室床パネル５と排水ピット４との水平レベルを揃える。
これらレベル調整済みの浴室床パネル５及び排水ピット４を浴室１の施工現場へ搬入する。
【００５５】
浴室１の施工現場においては、架台３をレベル調整して設置する。すなわち、各支持脚部３５によって支持フレーム３０を高さ調整する。複数の支持脚部３５による調整高さを互いに揃えることによって、支持フレーム３０をレベル調整できる。
【００５６】
その後、図１０に示すように、架台３の奥行方向Ｄの中央部に排水ピット４を設置する。詳しくは、２本の中央床梁材３３間にピット本体４１を挿し入れ、一対のピット枠部４２をそれぞれ対応する中央床梁材３３の上に被せ、ピット枠脚部５１を中央床梁材３３の上面に載せる。排水ピット４は工場においてレベル調整済みであるから、ピット枠脚部５１を水平な架台３の中央床梁材３３に載せれば、それだけで排水ピット４を水平に設置できる。したがって、浴室施工現場での排水ピット４のレベル調整作業を省略ないしは簡略化できる。
次に、ピット固定ネジ４７を、ネジ座４４ａ（図９）に通して中央床梁材３３にねじ込み、排水ピット４を架台３に固定する。
【００５７】
さらに、図３に示すように、排水ピット４を挟んで両側の架台３上に複数の浴室床パネル５を設置する。図１１に示すように、各浴室床パネル５を架台３の上方においてほぼ水平に保持しながら真っ直ぐに下降させた後、浴室床２の内側（図１１において左）へスライドさせることによって、引掛部１８ａを支持フレーム３０に引っ掛ける。浴室床パネル５の外周部と建物躯体などの障害物８との間には、引掛部材１８を挿し入れ可能なクリアランスがあればよい。浴室床パネル５の外周部と架台３をネジ止めするものではないから、浴室床パネル５の外周部と建物躯体壁８との間にネジ止め操作に要する程度のスペースは必要ない。
図７に示すように、引掛部１８ａを支持フレーム３０に引っ掛けることによって、浴室床パネル５が位置決めされる。
更に、図８に示すように、パネル脚部２１Ａを支持フレーム３０の上面に載せる。浴室床パネル５は工場においてレベル調整済みであるから、パネル脚部２１Ａを水平な架台３の支持フレーム部材３０に載せれば、それだけでパネル脚部２１を水平に設置できる。
【００５８】
次に、パネル固定ネジ２７によって連結部２６と中央床梁材３３とを連結する。これによって、浴室床パネル５が架台３に固定される。図９に示すように、この段階では、連結部２６が凹溝４８の底部に現れているから、パネル固定ネジ２７のねじ込み操作、ひいては浴室床パネル５と架台３の連結作業を容易に行うことができる。
複数の浴室床パネル５を同様の手順で架台３上に並べて設置し、隣接する浴室床パネル５の外周枠部材１９どうしを接続部材１６を介して接続する。
予め、複数の浴室床パネル５どうしの水平レベルが互いに揃えられているから、施工現場においてこれら複数の浴室床パネル５どうしの水平レベルを合わせる作業を省略又は簡略化できる。浴室床パネル５の枚数が多くても、設置作業を効率的に行うことができる。
さらには、予め、排水ピット４と複数の浴室床パネル５との水平レベルが互いに揃えられているから、施工現場においてこれら排水ピット４と浴室床パネル５の水平レベルを合わせる作業を省略又は簡略化できる。
その後、凹溝４８にスペーサ部材４９を収容する。
更に、表層シート６の敷設、表層シート端部６ｂ，６ｄの防水処理、壁パネル７及び扉の設置等を行う。
当該浴室施工方法によれば、前述したように、排水ピット４及び複数の浴室床パネル５のレベル調整を含む設置作業を効率的に行うことできるから、現場施工の工期を短縮できる。
【００５９】
本発明は、前記実施形態に限定されるものではなく、その趣旨を逸脱しない範囲において種々の改変をなすことができる。
例えば、本発明の浴室床構造は、介護施設などの大型浴室に限らず、戸建て住宅や集合住宅その他の浴室にも適用できる。
浴室が、浴槽及び浴槽受けパンを有していてもよい。本発明の浴室床パネルが、浴槽受けパンを含んでいてもよい。
【産業上の利用可能性】
【００６０】
本発明は、例えば介護施設などの大型の浴室に適用できる。
【符号の説明】
【００６１】
１      浴室
２      浴室床（浴室床構造）
３      架台
４      排水ピット
５      浴室床パネル
５ａ    排水ピット側部（一側部）
５ｗ    外側部（対向する側部）
５ｄ    外側部（交差する側部）
６      表層シート
７      壁パネル
９      外周枠
１０    パネル体
１１    パネル本体
１２    上側補強板
１３    下側補強板
１８    引掛部材
１８ａ  引掛部
１９    外周枠部材
１９ｃ  底枠部
２０    パネルレベル調整機構
２１    パネル脚部
２２    ボルト部
２３    ベース部
２５    脚受け板
２５ｂ  雌ネジ穴
２６    連結部
２７    パネル固定ネジ
３０    支持フレーム
３３    中央床梁材
３４    架台レベル調整手段
３５    支持脚部
４１    ピット本体
４２    ピット枠部
４７    ピット固定ネジ
５０    ピットレベル調整機構
５１    ピット枠脚部
５２    ボルト部
５３    ベース部
【図１】
2020051175.tif 000003
【図２】
2020051175.tif 000004
【図３】
2020051175.tif 000005
【図４（ａ）】
2020051175.tif 000006
【図４（ｂ）】
2020051175.tif 000007
【図５】
2020051175.tif 000008
【図６】
2020051175.tif 000009
【図７】
2020051175.tif 000010
【図８】
2020051175.tif 000011
【図９】
2020051175.tif 000012
【図１０】
2020051175.tif 000013
【図１１】
2020051175.tif 000014